(57)【要約】【課題】表紙部に新鮮な透明感や清潔さ或は現代アート性を付与することできる写真用アルバムを提供する。【解決手段】背表紙部を間に挟んで両側に表側表紙部２と裏側表紙部３を配設した表紙部１と、表紙部１内に挿入されて綴じられた台紙部６とを具備した写真用アルバムである。表側表紙部２及び裏側表紙部３の少なくとも一方が、透明合成樹脂板２１，３１の表面に画像プリントシート２２，３２を貼着して形成される。画像プリントシート２２，３２は透明合成樹脂シートの表面に画像をプリントした後、ラミネートフィルム２３，３３を被覆・貼着して形成される。【選択図】図１
0003112335.tif 000002
【実用新案登録請求の範囲】
【請求項１】
背表紙部を間に挟んで両側に表側表紙部と裏側表紙部を配設した表紙部と、該表紙部内に挿入されて綴じられた台紙部とを具備した写真用アルバムにおいて、
該表側表紙部及び該裏側表紙部の少なくとも一方が、透明又は透光性合成樹脂板の表面に画像プリントシートを貼着して形成され、該画像プリントシートは透明又は透光性合成樹脂シートの表面に画像をプリントした後、ラミネートフィルムを被覆・貼着して形成されていることを特徴とする写真用アルバム。
【請求項２】
前記表側表紙部及び裏側表紙部の少なくとも一方の縁部が、前記背表紙部の背表紙用厚紙と共に、１枚の背表紙用カバーシートの内側面に貼着して保持されることを特徴とする請求項１記載の写真用アルバム。
【考案の詳細な説明】
【技術分野】
【０００１】
本考案は、写真用アルバムに関し、特にその表紙部に新鮮な透明感を持たせて斬新なイメージの外観を呈することができる写真用アルバムに関する。
【背景技術】
【０００２】
写真用アルバムは、通常、表側表紙部と裏側表紙部を、背表紙部を介在させて配設した表紙部と、表紙部の内側に挿入・接着される台紙部とを備えて構成され、その表紙部は、所定の大きさに裁断した厚紙の全体をカバー紙で包むように接着し、表側表部と裏側表示部が背表紙部から開閉できるように形成されている。
【０００３】
表紙部のカバー紙には、一般に各種の色や装飾を施した装飾シート、布などが使用されているところ、近年、オリジナルの画像をプリントした印画紙を表紙部に貼着した写真用アルバムが、下記特許文献１などで提案されている。
【特許文献１】特開２００３−４８３８１公報
【考案の開示】
【考案が解決しようとする課題】
【０００４】
しかし、従来のこの種の写真用アルバムは、その表紙部に各種の装飾シートやオリジナル画像などを印刷した印画紙を貼着してオリジナリティを出すようにしているものの、表紙部は、厚紙などの基材の表面を、カバー紙により包むように貼着した構造であり、充分な厚さを確保して重厚なイメージを出すことに主眼が置かれていた。
【０００５】
このため、アルバムの外観において、重厚さのみが目立ち、透明感や清潔さ、或は現代感覚や現代アート性に欠けるという課題があった。
【０００６】
本考案は、上述の課題を解決するものであり、表紙部に新鮮な透明感や清潔さ及び現代アート性を付与することできる写真用アルバムを提供することを目的とする。
【課題を解決するための手段】
【０００７】
上記目的を達成するために、本願考案の写真用アルバムは、背表紙部を間に挟んで両側に表側表紙部と裏側表紙部を配設した表紙部と、該表紙部内に挿入されて綴じられた台紙部とを具備した写真用アルバムにおいて、該表側表紙部及び該裏側表紙部の少なくとも一方が、透明又は透光性合成樹脂板の表面に画像プリントシートを貼着して形成され、該画像プリントシートは透明又は透光性合成樹脂シートの表面に画像をプリントした後、ラミネートフィルムを被覆・貼着して形成されていることを特徴とする。
【０００８】
ここで、上記表側表紙部と裏側表紙部の少なくとも一方の縁部は、上記背表紙部の背表紙用厚紙と共に、１枚の背表紙用カバーシートの内側面に貼着して保持されるように構成することができる。
【考案の効果】
【０００９】
上記構成の写真用アルバムは、その表紙部の表側表紙部と裏側表紙部または何れか一方が、透明又は透光性を有する合成樹脂板の表面に画像プリントシートを貼着して形成され、画像プリントシートは、透明又は透光性を有する合成樹脂シートの表面に、画像をプリントして形成される。このため、写真用アルバムの表紙部には、内部に光が進入し、その表面にプリントされた画像が浮かび上がるように現われ、使用者には透明感や清潔さを感じさせることができ、しかも、現代感覚にあふれ、現代アート性を有した写真用アルバムとすることができる。
【００１０】
さらに、画像プリントシートには、パソコンに取り込んだデジタル写真の画像、或いは文字を付加した画像、または写真に画像処理を施してフィルタリングなどを行なった画像、或は抽象化された画像などをプリントできるため、斬新でオリジナルの表紙部を簡単に製作することができる。
【考案を実施するための最良の形態】
【００１１】
以下、本考案の一実施形態を図面に基づいて説明する。図１は写真用アルバムの斜視図を示し、図７はその写真用アルバムの分解斜視図を示し、図２はその表紙部１の表側表紙部２の分解斜視図を示している。本写真用アルバムは、図７に示すように、表紙部１と、その表紙部１内に挿入し綴じ込まれる台紙部６とから構成される。
【００１２】
表紙部１は、背表紙部４を間に挟むようにしてその両側に表側表紙部２と裏側表紙部３を配設し、表側表紙部２と裏側表紙部３を背表紙部４に対し開閉可能に形成して構成される。表側表紙部２と裏側表紙部３は、図２に示すように、略同様に構成され、基板となる透明合成樹脂板２１，３１の上に、画像をプリントした画像プリントシート２２、３２を貼着し、その上にラミネートフィルム２３，３３を被覆するように貼着して形成されている。
【００１３】
基板となる透明合成樹脂板２１，３１は、所定の大きさの矩形形状に裁断された例えば厚さ約２ｍｍの透明アクリル板から形成され、その透明合成樹脂板２１，３１の上面に画像プリントシート２２、３２が貼着される。
【００１４】
なお、透明合成樹脂板２１，３１は、必ずしも透明とせずに、透光性を有する合成樹脂板とすることもでき、例えば透明合成樹脂板の表面をなし地加工してすりガラス状とし、或いは透明合成樹脂材料内に着色材や光拡散材を混合して製造された透光性を有する合成樹脂板を使用することもできる。
【００１５】
画像プリントシート２２、３２は、例えば厚さ約３８μｍの透明合成樹脂シート（例えばＰＥＴ）を基材としたシートであり、シートの表面には、インクジェットプリンタのインクを受容する受容層（ポワール系の水溶性合成樹脂）が形成される。その受容層の上に任意の画像がインクジェットプリンタによってプリントされる。合成樹脂シートのみでは、プリントする際、その上にインクジェットプリンタから噴射したインクを付着させた場合、インクが流れやすいが、表面に形成したインクの受容層により、インクジェットプリンタのインクがシート表面に良好に受容され、鮮明な画像を印刷することができる。
【００１６】
インクジェットプリンタは、汎用のパソコンにより画像データを送り、プリントすることができるため、パソコンの画像処理ソフトを使用して、デジタル写真などを各種の画像処理を行なって、アルバムの表紙画像を作成する。アルバムの表紙画像としては、生のデジタル写真よりラフに或は抽象的に処理された画像が良く、例えば、各種のフィルタリングなどにより、テクスチャ処理、粗描き処理、エッジぼかし処理、コンテ画処理などを行い、多少抽象化された画像を作成する。また、パソコンの画像ソフトを使用すれば、その表紙画像内に文字を入れることも容易に可能である。なお、表側表紙部２の画像プリントシート２２と裏側表紙部３の画像プリントシート３２には、勿論、相違した画像をプリントすることができる。
【００１７】
画像をプリントした画像プリントシート２２，３２の表面には、プリント面を保護するために、透明のラミネートフィルム２３、３３が貼着される。ラミネートフィルム２３、３３には、例えば厚さ約５０μｍの透明合成樹脂フィルム（例えばＰＥＴフィルム）が使用され、フィルムの裏面には、アクリル系の粘着層が形成される。粘着層には剥離可能なベース紙が付着され、ベース紙を剥離して粘着層を露出させた状態で、画像プリントシート２２，３２上に容易に貼着することができる。
【００１８】
なお、画像プリントシート２２，３２の透明合成樹脂シートは、必ずしも透明とせずに、透光性を有する合成樹脂シートとすることもでき、例えば透明合成樹脂シートの表面に細かい凹凸模様を施した透光性を有する合成樹脂シートを使用することもできる。
【００１９】
そして、画像プリントシート２２、３２は、透明アクリル板などからなる透明合成樹脂板２１，３１の上面に貼着される。画像プリントシート２２、３２の基材となる透明合成樹脂シートには、予め裏面にアクリル系の粘着層が形成され、粘着層には剥離可能なベース紙が付着される。透明合成樹脂板２１，３１の上面に貼着する際には、ベース紙を剥離し粘着層を露出させた画像プリントシート２２、３２を、透明合成樹脂板２１，３１の上面に載置し、例えば手動式ローラ式の圧着機を使用して貼着する。
【００２０】
手動式ローラ式の圧着機を使用して画像プリントシート２２，３２を透明合成樹脂板２１，３１に貼着する場合、シート（板）の一方から他方に圧力を徐々に印加しながら圧着するため、内部に進入しやすい空気層を押し出して、気泡を作らずに良好に画像プリントシート２２，３２を透明合成樹脂板２１，３１上に圧着することができる。
【００２１】
なお、画像プリントシート２２，３２を圧着した表側表紙部２と裏側表紙部３の一方の側縁部には、後述の背表紙用カバーシート５を貼着するための貼着縁部２ａ，３ａが形成され、その貼着縁部２ａ，３ａは、カバーシート５の内側に入るため、画像などはプリントされない領域である。
【００２２】
図３、図４に示すように、上記で製作した表側表紙部２と裏側表紙部３を、背表紙用厚紙４と共に、背表紙用カバーシート５の内側に貼り付け、表紙部１が製作される。
【００２３】
すなわち、先ず、図３のように、裏面に粘着層を有した背表紙用カバーシート５を、その粘着層を上にして置き、その右側に裏側表紙部３の左端の貼着縁部３ａを、カバーシート５上に貼着するように載置する。背表紙用カバーシート５には、例えば裏面に粘着層を有した塩化ビニルレザー（非透明の塩化ビニル製の軟質シート）が使用される。背表紙用カバーシート５の中央には、所定の大きさに裁断した背表紙用厚紙４を載置し、さらに、その左側に表側表紙部２の右端の貼着縁部ａを、カバーシート５上に貼着するように載置する。
【００２４】
このとき、図３のように、背表紙用カバーシート５の上端部と下端部の折り曲げ貼着部５ａは、背表紙用厚紙４、表側表紙部２、裏側表紙部３の上下から外側に突き出した状態であり、このような上端部と下端部の折り曲げ貼着部５ａを、図４のように、内側に折り曲げて、貼り付ける。これにより、平板状の表紙部１が完成することになり、この後、表紙部１をコ字状に曲げてその内側に台紙部６を綴じ込む。
【００２５】
背表紙用厚紙４、表側表紙部２、及び裏側表紙部３を背表紙用カバーシート５により一体に貼り付けた表紙部１は、図５に示すように、コ字状に曲折され、その内側に、図６に示すような写真用の台紙部６が挿入され、その背部が接着或は糸などの手段により綴じられる。台紙部６は、図６に示すように、複数の写真用の台紙６１の背部を開閉可能に綴じて形成される。台紙部６の背部とそれに続く表裏の一部に付く台紙表紙６２は、短い幅に裁断され、その台紙表紙６２の外側面が、表紙部１の内側の貼着縁部２ａ，３ａの内側面に貼着される。この台紙表紙６２の幅を短くしておくことにより、表側表紙部２と裏側表紙部３の透明部分の内側に非透明の台紙表紙６２を貼り付けないようにして、表側表紙部２、裏側表紙部３の透明感を保持するようにしている。
【００２６】
このように、本写真用アルバムは、表紙部１の表側表紙部２と裏側表紙部３が、透明又は透光性を有する合成樹脂板２１、３１の表面に画像プリントシート２２，３２を貼着して形成され、画像プリントシート２２，３２は、透明又は透光性を有する合成樹脂シートの表面に、画像をプリントして形成されるから、アルバムの表紙部１には、内部に光が進入し、その表面にプリントされた画像が浮かび上がるように現われる。このため、使用者には透明感や清潔さを感じさせることができ、しかも、現代感覚にあふれ、現代アート性を有した写真用アルバムとすることができる。
【００２７】
さらに、画像プリントシート２２，３２には、パソコンに取り込んだデジタル写真の画像、或いは文字を付加した画像、或は写真に画像処理を施してフィルタリングなどを行なって、アレンジされ或は抽象化された画像をプリントできるため、斬新でオリジナルの表紙部を簡単に製作することができる。
【００２８】
図８は他の実施形態の表紙部１１の製作工程部分を示している。この表紙部１１は、その表側に上記と同じ表側表紙部２が貼着されるが、その裏側には厚紙製の裏側表紙部１３が貼着され、表側表紙部２のみが透明又は透光性を有するように形成される。図８に示すように、背表紙用カバーシート１５は、上記より大形に形成され、裏側表紙部１３の全体を被覆する大きさに形成される。
【００２９】
このような背表紙用カバーシート１５は、上記と同様に、予め裏面に粘着層を有して形成され、図８のように、その粘着層を上にして置き、その左側に表側表紙部２の左端の貼着縁部２ａを、カバーシート１５上に貼着するように載置する。背表紙用カバーシート１５には、例えば裏面に粘着層を有した塩化ビニルレザー（非透明の塩化ビニル製の軟質シート）が使用される。さらに、背表紙用カバーシート１５の中央左寄りには、所定の大きさに裁断した背表紙用厚紙４が載置され、さらに、その右側に厚紙製の裏側表紙部１３の全体を、カバーシート１５上に貼着するように載置する。
【００３０】
このとき、図３のように、背表紙用カバーシート１５の上端部と下端部の折り曲げ貼着部１５ａは、背表紙用厚紙４、表側表紙部２、裏側表紙部１３の上下から外側に突き出した状態であり、このような上端部と下端部の折り曲げ貼着部１５ａを、上記と同様に、内側に折り曲げて、貼り付ける。これにより、表側表紙部２のみが透明又は透光性を有する表紙部１１が完成する。
【００３１】
このような表紙部１１は、上記と同様に、背表紙用厚紙４の部分を背にしてコ字状に折り曲げられ、その内側に台紙部６が挿入されて綴じ込まれる。この表紙部１１は、表側表紙部２のみが透明又は透光性を有することになるが、その表紙部１１には、内部に光が進入し、その表面にプリントされた画像が浮かび上がるように現われる。したがって、上記と同様に、使用者には透明感や清潔さを感じさせることができ、しかも、現代感覚にあふれ、現代アート性を有した写真用アルバムとすることができる。
【図面の簡単な説明】
【００３２】
【図１】本考案の一実施形態を示す写真用アルバムの斜視図である。
【図２】表側表紙部の分解斜視図である。
【図３】表紙部を製作する際の展開図である。
【図４】表紙部の折り曲げ貼着部を折り曲げた状態の展開図である。
【図５】表紙部を折り曲げた状態の斜視図である。
【図６】台紙部の斜視図である。
【図７】表紙部と台紙部の分解斜視図である。
【図８】他の実施形態を示す表紙部を製作する際の展開図である。
【符号の説明】
【００３３】
１−表紙部
２−表側表紙部
３−裏側表紙部
４−背表紙用厚紙
５−背表紙用カバーシート
６−台紙部
２１−透明又は透光性合成樹脂板
２２−画像プリントシート
３１−透明又は透光性合成樹脂板
３２−画像プリントシート
３３−ラミネートフィルム                                                                       
【図１】
0003112335.tif 000003
【図２】
0003112335.tif 000004
【図３】
0003112335.tif 000005
【図４】
0003112335.tif 000006
【図５】
0003112335.tif 000007
【図６】
0003112335.tif 000008
【図７】
0003112335.tif 000009
【図８】
0003112335.tif 000010